(57)【要約】【課題】構造が簡単で、かつ、悪戯による感電事故の虞のない充電装置の提供を目的とする。【解決手段】充電用電源１に電気自動車２を接続して該電気自動車２を充電する電気自動車の充電装置であって、  暗証番号入力部３を備えた暗証番号認証部４と、  充電用電源１の電圧線５の通電経路を断接して通電を制御するノーマリーオープンのスイッチ部６と、  暗証番号認証部４における認証成立を前記スイッチ部６の閉成の十分条件とする給電制御部７とを有して構成する。【選択図】  図１
2010148245.tif 000002
【特許請求の範囲】
【請求項１】
充電用電源に電気自動車を接続して該電気自動車を充電する電気自動車の充電装置であって、
暗証番号入力部を備えた暗証番号認証部と、
充電用電源の電圧線の通電経路を断接して通電を制御するノーマリーオープンのスイッチ部と、
暗証番号認証部における認証成立を前記スイッチ部の閉成の十分条件とする給電制御部と、
を有する充電装置。
【請求項２】
電気自動車に接続される充電用ケーブルの一端を接続するコンセントを備え、
前記スイッチ部は、コンセントの電圧線端子への通電経路を断接する請求項１記載の充電装置。
【請求項３】
コンセントへの充電用ケーブルの接続を検出する接続検出部を備え、
前記暗証番号認証部は、接続検出部における充電用ケーブル接続の検出を条件に起動される請求項２記載の充電装置。
【発明の詳細な説明】
【技術分野】
【０００１】
本発明は充電装置に関するものである。
【背景技術】
【０００２】
使用権限の認証を条件に電気自動車への充電を行う充電装置としては、特許文献１に記載のものが知られている。この従来例において、充電装置にはカード認識部が設けられるとともに、車両側にはコネクタ接続検知部が設けられる。
【０００３】
充電に際して充電装置と車両とを充電用ケーブルにより接続すると、車両側から給電要求信号が出力され、通信部を介して充電装置に送出される。この状態で充電装置においてカードが認証されると、充電装置内のスイッチ部が閉成されて給電が開始される。
【特許文献１】特開２００７-２２８６９５号公報
【発明の開示】
【発明が解決しようとする課題】
【０００４】
しかし、上述した従来例において、充電開始条件として車両と充電装置との間での通信が必要であるという問題がある。この問題を解決するために、充電装置における認証成立のみで給電を開始することも可能であるが、この場合、以下の問題がある。
【０００５】
すなわち、認証はカードをカード認識部に認識させるだけで成立するために、カードを持っていさえすれば幼児、児童にも簡単に認証操作を完了させることができるために、悪戯でコネクタに針金等の導線を接触させた状態でカード認識をさせる可能性を否定できず、これに伴う感電の虞がある。
【０００６】
本発明は、以上の欠点を解消すべくなされたものであって、構造が簡単で、かつ、悪戯による感電事故の虞のない充電装置の提供を目的とする。
【課題を解決するための手段】
【０００７】
本発明によれば上記目的は、
充電用電源１に電気自動車２を接続して該電気自動車２を充電する電気自動車の充電装置であって、
暗証番号入力部３を備えた暗証番号認証部４と、
充電用電源１の電圧線５の通電経路を断接して通電を制御するノーマリーオープンのスイッチ部６と、
暗証番号認証部４における認証成立を前記スイッチ部６の閉成の十分条件とする給電制御部７と、
を有する充電装置を提供することにより達成される。
【０００８】
本発明において、充電用電源１の通電は、電圧線５の通電経路をノーマリーオープンのスイッチ部６により断接して制御される。電圧線５の通電経路を断接することにより、経路断状態において過って給電出力部に触れた場合であっても、感電することがなく、さらに、非動作状態で通電経路が断状態となるノーマリーオープンスイッチを使用することにより、充電装置を使用しない状態での感電事故を防止することができる。
【０００９】
感電防止のために、単相２線、３線１００ボルト配線の場合には、非接地線のみを断接すれば足り、単相３線２００ボルト配線においては、２本の通電経路にスイッチ部６が介装される。
【００１０】
また、通電の最低条件として真正な暗証番号入力を要求する本発明において、使用権限のない者による充電装置の不正使用を規制することが可能になるのに加え、小児、幼児等の悪戯による感電事故を防止することができる。すなわち、上述したように、カード等による認証を通電の条件にすると、悪戯で持ち出されたカードを使用した場合の通電を防止することはできないが、暗証番号入力を条件とする場合、小児、幼児の悪戯による認証行為を完全に規制することができるために、悪戯による感電事故を完全に防止することができる。
【００１１】
充電装置は、予め充電用ケーブル８が連結されたものであっても、あるいは利用者が用意した充電用ケーブル８を差し込んで使用するものであってもよく、後者の場合、スイッチ部６は、コンセント９の電圧線端子への通電経路を断接するように構成される。
【００１２】
この場合、コンセント９への充電用ケーブル８の接続を検出する接続検出部１０を備え、暗証番号認証部４は、接続検出部１０における充電用ケーブル８接続の検出を条件に起動されるように構成すると、暗証番号認証部４への悪戯等も防止できる。
【発明の効果】
【００１３】
本発明によれば、車両との通信を要することなく充電を行うことができるために、構造が簡単になり、かつ、使用しないときの悪戯による感電事故を確実に防止することができる。
【発明を実施するための最良の形態】
【００１４】
図１に示すように、充電装置は、充電用ケーブル８のプラグ８ａを接続するためのコンセント９と、制御部１１により制御されて動作する給電制御部７、暗証番号認証部４と、制御部１１に接続される接続検出部１０を有する。接続検出部１０は、例えばメカニカルスイッチにより形成され、コンセント９への充電用ケーブル８の接続を検出すると制御部１１の所定ポートの電位を基準電位まで降下させて接続状態を知らせる。
【００１５】
コンセント９と充電用電源１とを接続する通電経路のうち、電圧線５の通電経路にはリレー（スイッチ部６）が介装され、リレー６を動作させることによって充電用電源１からコンセント９への給電を開始、停止させることができる。
【００１６】
暗証番号認証部４は、暗証番号入力部３、照合部４ａ、および利用者により予め設定された暗証番号を格納する記憶部４ｂを有して構成される。この暗証番号認証部４は、制御部１１の接続検出部１０からの接続信号受信により起動され、暗証番号入力部３から適宜の番号を入力すると、照合部４ａによって入力された暗証番号と記憶部４ｂ内の暗証番号の照合が行われる。
【００１７】
照合部４ａにおける照合が成功すると、制御部１１に認証成立信号が出力され、認証成立信号を受領した制御部１１は、給電制御部７にスイッチ駆動信号をセットし、ノーマリーオープン状態のリレー６が駆動されて回路が閉成される。
【００１８】
一方、電気自動車２は、充電用ケーブル８の充電プラグ、あるいはパドル等の車両側配線接続器８ｂが接続される受電部１２からの給電を受けてバッテリ１３を充電することができる。受電部１２とバッテリ１３との間には、ＡＣ／ＤＣ変換等を行い、さらに、過充電を防止するために給電量を調整するための充電回路１４が介装される。
【００１９】
また、充電回路１４を制御する制御部１５には、受電部１２への車両側配線接続器８ｂの接続を検出する接続検出部１６が設けられる。制御部１５は、接続検出部１６が安定した接続状態を検出しない場合には、例えば充電回路１４の入力端を高インピーダンス状態に保持し、あるいは入力回路を切断することによって、充電回路１４、およびバッテリ１３を保護する。
【００２０】
図２に充電装置の動作フローを示す。まず、運用開始に際して制御部１１の各ポートに対する電位セット等の初期設定を行い（ステップ１００）、接続検出部１０の出力を監視する（ステップ１０１）。
【００２１】
ステップ１０１においてコンセント９に充電用ケーブル８のプラグ８ａが接続されたことが確認されると、暗証番号認証部４が起動されて暗証番号入力部３からの暗証番号入力待ちモードに遷移する（ステップ１０２）。暗証番号入力待ちモードは、コンセント９への充電用ケーブル８の接続状態においてのみ維持され、本モード下で接続検出部１０が充電用ケーブル８の離脱を検出すると（ステップ１０３）、初期ルーチンに復帰する。
【００２２】
ステップ１０３において暗証番号入力待ちモードの継続が確認され、暗証番号が入力されると（ステップ１０４）、照合部における照合が行われ（ステップ１０５）、認証が成立するとスイッチ部６が閉成されて給電が開始される（ステップ１０６）。
【００２３】
給電動作は接続検出部１０における充電用ケーブル８の離脱検出まで行われ、接続検出部１０が充電用ケーブル８の離脱を検出すると（ステップ１０７）、制御部は給電制御部７への信号出力を停止してスイッチ部６を開成し、給電を終了する（ステップ１０８）。
【００２４】
なお、以上においては、接続検出部１０における充電用ケーブル８接続を暗証番号認証部４の起動スイッチとして使用する場合を示したが、暗証番号認証部４を常時起動状態にしておき、暗証番号認証部４での認証成立時に接続検出部１０での充電用ケーブル８の接続を確認するように構成することもできる。
【図面の簡単な説明】
【００２５】
【図１】本発明を示す機能ブロック図である。
【図２】充電装置の動作フローを示す図である。
【符号の説明】
【００２６】
１        充電用電源
２        電気自動車
３        暗証番号入力部
４        暗証番号認証部
５        電圧線
６        スイッチ部
７        給電制御部
８        充電用ケーブル
９        コンセント
１０      接続検出部
【図１】
2010148245.tif 000003
【図２】
2010148245.tif 000004